(57)【要約】【課題】ＣＯＭ分割駆動を採用する液晶装置等の電気光学装置に対して、共通電極の不定状態を解消する。【解決手段】電気光学装置（１００）は、走査線を用いた走査が行われている間、１以上の水平ライン毎の画素電極に対応して形成される複数の共通電極（１１、ＣＯＭ１〜ＣＯＭｎ）のうち相隣接する２つの共通電極に、夫々、第１電圧（ＶＯＣＭＨ）及び第２電圧（ＶＣＯＭＬ）が供給されるように、複数の共通電極の夫々に対して第１電圧及び第２電圧を交互に供給すると共に、各共通電極に供給される電圧を、所定期間毎に第１電圧から第２電圧へと又は第２電圧から第１電圧へと切り替える切替動作を順に行う供給回路（１１３）と、走査線を用いた走査が行われているか又は行われていないかに関わらず、複数の共通電極の夫々に対して第１電圧及び第２電圧を交互に供給するように供給回路を制御する制御回路（１１２）とを備える。【選択図】図６
2009205096.tif 000002
【特許請求の範囲】
【請求項１】
複数の走査線及び複数のデータ線の交差に対応して設けられた複数の画素電極と、１以上の水平ライン毎の画素電極に対応して形成される複数の共通電極と、前記複数の画素電極と前記複数の共通電極との間に印加される電界に応じて駆動される電気光学物質とを備える電気光学装置であって、
前記複数の走査線を用いた走査が行われている間、相隣接する２つの共通電極に、夫々、第１電圧及び該第１電圧とは異なる第２電圧が供給されるように、前記複数の共通電極の夫々に対して前記第１電圧及び前記第２電圧を交互に供給すると共に、前記一の共通電極に供給される電圧を、所定期間毎に前記第１電圧から前記第２電圧へと又は前記第２電圧から前記第１電圧へと切り替える切替動作を前記複数の共通電極に対して順に行う供給回路と、
前記複数の走査線を用いた走査が行われているか又は行われていないかに関わらず、前記複数の共通電極の夫々に対して前記第１電圧及び前記第２電圧を交互に供給するように前記供給回路を制御する制御回路と
を備えることを特徴とする電気光学装置。
【請求項２】
前記複数の共通電極の夫々は、水平ラインに沿って延在する共通配線と一体に形成されており、
前記供給回路は、前記共通配線の一方の端部から前記第１電圧又は前記第２電圧を供給する第１供給回路部と、前記共通配線の他方の端部から前記第１電圧又は前記第２電圧を供給する第２供給回路部とを備えることを特徴とする請求項１に記載の電気光学装置。
【請求項３】
前記第１電圧又は前記第２電圧を選択するための極性信号を保持するラッチ回路を更に備え、
前記制御回路は、前記ラッチ回路により保持される前記極性信号及び前記制御回路による制御が行なわれるか否かを示す参照信号の夫々に基づいて、前記複数の共通電極の夫々に対して前記第１電圧及び前記第２電圧を交互に供給するように前記供給回路を制御することを特徴とする請求項１又は２に記載の電気光学装置。
【請求項４】
前記制御回路は、前記参照信号の信号レベルに応じて、前記ラッチ回路により保持される前記極性信号及び該極性信号の反転信号の何れか一方又は固定信号レベルを有する固定信号を出力する制御回路部を水平ライン毎に備えることを特徴とする請求項３に記載の電気光学装置。
【請求項５】
前記参照信号は、前記制御回路による制御が行なわれるべき期間はハイレベルとなると共に、前記制御回路による制御が行なわれる期間以外の他の期間はローレベルとなり、
前記制御回路部は、前記ラッチ回路により保持される前記極性信号と前記参照信号との否定論理和信号を出力する否定論理和回路を備えることを特徴とする請求項４に記載の電気光学装置。
【請求項６】
前記制御回路は、前記電気光学装置の電源が投入された直後に、前記複数の共通電極の夫々に対して前記第１電圧及び前記第２電圧を交互に供給するように前記供給回路を制御することを特徴とする請求項１から５のいずれか一項に記載の電気光学装置。
【請求項７】
前記電気光学装置は、前記複数の画素電極及び前記複数の共通電極の夫々が形成される第１基板と、前記第１基板に対向するように配置される第２基板とを備えており、
前記電気光学物質は、前記第１基板及び前記第２基板の間に挟持されることを特徴とする請求項１から６のいずれか一項に記載の電気光学装置。
【請求項８】
複数の走査線、複数のデータ線、前記複数の走査線と前記複数のデータ線との交差に対応して設けられた複数の画素電極、及び当該画素電極に対応して設けられ前記走査線に沿う方向に分割された複数の共通電極を有する第１基板と、当該第１基板に対向配置された第２基板と、前記第１基板と前記第２基板との間に設けられた電気光学物質と、を備える電気光学装置であって、
前記複数の共通電極の両端に配置され、前記共通電極の両端から第１電圧と、前記第１電圧よりも電位の高い第２電圧と、を共通電極に供給する第１供給回路部及び第２供給回路部と、
前記第１供給回路部及び前記第２供給回路部から前記共通電極に出力される電圧を共通電極ごとにすべて一致させる制御回路と、
前記走査線を選択する選択電圧を前記複数の走査線に順次供給する走査線駆動回路と、
前記走査線が選択された際に、前記第１電圧よりも電位の高い正極性の画像信号と、前記第２電圧よりも電位の低い負極性の画像信号と、を交互に前記複数のデータ線に供給するデータ線駆動回路と
を備え、
前記制御回路により前記第１供給回路部及び前記第２供給回路部から共通電極に出力する電圧を各共通電極ごとにすべて一致させてから、
前記第１供給回路部及び前記第２供給回路部から前記第１電圧を前記共通電極に供給し、前記走査線駆動回路により前記選択電圧を前記走査線に供給するとともに、前記データ線駆動回路により前記正極性の画像信号を前記データ線に供給し、
前記第１供給回路部及び前記第２供給回路部により前記第２電圧を前記共通電極に供給し、前記走査線駆動回路により前記選択電圧を前記走査線に供給するとともに、前記データ線駆動回路により前記負極性の画像信号を前記データ線に供給することを特徴とする電気光学装置。
【請求項９】
請求項１から８のいずれか一項に記載の電気光学装置を備えることを特徴とする電子機器。
【発明の詳細な説明】
【技術分野】
【０００１】
本発明は、例えば液晶装置等の電気光学装置、及びこのような電気光学装置を備える電子機器の技術分野に関する。
【背景技術】
【０００２】
この種の電気光学装置として、一対の素子基板及び対向基板間に、電気光学物質の一例である液晶が挟持される液晶装置が一例としてあげられる。素子基板上における複数の画素が配列されてなる表示領域（画素領域）には、走査線及びデータ線の交差に対応して画素電極を含む画素部が形成されることにより、複数の画素部がマトリクス状に平面配列される。そして、各画素部には、画素スイッチング素子として、例えば薄膜トランジスタ（Thin Film Transistor；以下適宜、「ＴＦＴ」と称する）が含まれる。電気光学装置の駆動時、各画素部において、走査線より走査信号が供給されることにより画素スイッチング素子がオン状態となると、データ線より画素スイッチング素子を介して画素電極に画像信号が供給される。また、典型的には、複数の画素電極に対応して、表示領域の概ね全体に、複数の画素部に共通に共通電極（或いは、対向電極）がベタ状に形成されている。そして、液晶装置の駆動時には、画素電極と共通電極との間の電位差に基づく印加電圧が液晶に印加される。その結果、液晶の配向や秩序が制御され、画像表示が可能となる。
【０００３】
このような液晶装置においては、近年、液晶装置の低消費電力化を実現するために、共通電極を１水平ライン（１行）毎に分割する（例えば、走査線に平行な方向に沿って分割する）と共に、ある電位レベル（例えば、相対的にハイレベル）の電圧を同一行の共通電極に供給し、且つ異なる電位レベル（例えば、相対的にローレベル）の電圧を相隣接する行の共通電極に供給しつつ、係る電圧の電位レベルを１水平走査期間毎に１行ずつ反転させる駆動（以降、このような駆動を適宜“ＣＯＭ分割駆動”と称する）が行われる（特許文献１参照）。これにより、全ての共通電極に対して同一電位レベルの電圧を供給しつつ、係る全ての共通電極の電位レベルを１水平走査期間毎に一括して反転させる駆動の態様と比較して、低消費電力化を図ることができる。
【０００４】
【特許文献１】特願２００６−１８３０５１
【発明の開示】
【発明が解決しようとする課題】
【０００５】
このようなＣＯＭ分割駆動を採用する液晶装置においては、走査線に走査信号（特に、ハイレベルの走査信号）が入力された後でなければ、共通電極（共通配線）に対して電圧信号が供給されない。言い換えれば、走査線に走査信号（特に、ハイレベルの走査信号）が入力されるまでは、共通電極（共通配線）の電位がどのように電位になるのかは不定である。つまり、走査線に走査信号が入力された後に、共通電極（共通配線）の電位が相対的にハイレベルな電位になるのか又は相対的にローレベルな電位になるのかが不定である。このような電位が不定な状態は、例えば液晶装置の電源を投入した直後、省エネモードからの復帰時、表示モードの切り替え等において発生し得る。しかしながら、このような電位が不定な状態の発生は、液晶装置の安定的な動作に対しては好ましいものであるとは言いがたい。
【０００６】
また、共通電極（共通配線）に対して電圧信号を供給する負荷を相対的に低減させるために、共通電極（共通配線）に対して電圧信号を供給する駆動回路が、液晶パネルの両側端（例えば、右端及び左端）に隣接して２つ設けられる構成を採用することがある。この場合、共通電極（共通配線）の電位がどのように変化するかが不定である状態においては、両側端に隣接する２つの駆動回路の夫々は、どのような電位を有する電圧信号を共通電極（共通配線）に対して供給すればよいのかを確実に認識することができない。更には、何らかの要因によって、ある共通電極（共通配線）に対して、２つの駆動回路から異なる電位を有する電圧信号が供給されかねない。この場合、共通電極（共通配線）や当該共通電極（共通配線）に電圧信号を供給する駆動回路に対して貫通電流が流れてしまうという技術的な問題点が発生する。これは、液晶パネルの破損にもつながりかねないという技術的な問題点にもつながる。
【０００７】
本発明は、例えば上述した従来の問題点に鑑みなされたものであり、例えばＣＯＭ分割駆動を採用する液晶装置等の電気光学装置に対して、共通電極の不定状態を解消することが可能な電気光学装置、及びこのような電気光学装置を備える電子機器を提供することを課題とする。
【課題を解決するための手段】
【０００８】
（電気光学装置）
本発明の電気光学装置は、複数の走査線及び複数のデータ線の交差に対応して設けられた複数の画素電極と、前記画素電極に対応して形成される複数の共通電極と、前記複数の画素電極と前記複数の共通電極との間に印加される電界に応じて駆動される電気光学物質とを備える電気光学装置であって、前記複数の走査線を用いた走査が行われている間、相隣接する２つの共通電極に、夫々、第１電圧及び該第１電圧とは異なる第２電圧が供給されるように、前記複数の共通電極の夫々に対して前記第１電圧及び前記第２電圧を交互に供給すると共に、前記一の共通電極に供給される電圧を、所定期間毎に前記第１電圧から前記第２電圧へと又は前記第２電圧から前記第１電圧へと切り替える切替動作を前記複数の共通電極に対して順に行う供給回路と、前記複数の走査線を用いた走査が行われているか又は行われていないかに関わらず、前記複数の共通電極の夫々に対して前記第１電圧及び前記第２電圧を交互に供給するように前記供給回路を制御する制御回路とを備える。
【０００９】
本発明の電気光学装置によれば、例えば液晶装置等の電気光学装置が備える共通電極に対して共通配線を介して電圧を供給することにより、電気光学装置を駆動することができる。本発明に係る電気光学装置は、例えば画像信号が供給されるデータ線と走査信号が供給される走査線との交差位置に対応するように設けられる複数の画素電極と、１以上の水平ライン毎に設けられる（言い換えれば、１つの走査線毎若しくは２以上の走査線毎に１つずつ設けられる）複数の共通電極とを備えている。つまり、本発明においては、通常ベタ状に形成される共通電極が、１水平ライン毎（例えば、走査線に沿って）若しくは２以上の水平ライン毎（例えば、２以上の走査線に沿って）に、電気的に分割されている。そして、水平ライン毎に、各水平ラインに属する複数の画素電極の一部と共通電極との間の電位差に起因した電圧が電気光学物質に印加されることで、画像表示等が行われる。
【００１０】
このような電気光学装置を駆動するため（特に、共通電極に対して電圧を供給するために）、本発明に係る電気光学装置は、供給回路を備えている。このとき、供給回路は、ＣＯＭ分割駆動を利用して電気光学装置を駆動する。
【００１１】
具体的には、供給回路は、例えば複数の共通電極に対応して形成される複数の共通配線を介して、電気光学装置が備える複数の共通電極の夫々に対して電圧を供給する。この複数の共通電極への電圧の供給は、複数の走査線を用いた走査が行われている間（つまり、複数の走査線に対して順に選択状態レベルにある走査信号が供給されている間）に行われる。ここで、本発明に係る供給回路は、複数の共通電極のうちの相隣接する２つの共通電極に対して、夫々異なる電圧（つまり、第１電圧及び第２電圧）が供給されるように、複数の共通電極の夫々に対して電圧を供給する。言い換えれば、供給回路は、奇数ライン（奇数行）に対応する共通電極に供給される電圧の極性と、偶数ライン（偶数行）に対応する共通電極に供給される電圧の極性とが相互に反転するように、複数の共通電極の夫々に対して電圧を供給する。具体的には、供給回路は、一の共通電極に対して第１電圧（例えば、相対的にハイレベルな電圧）及び第２電圧（例えば、相対的にローレベルな電圧）のうちの一方を供給する。その一方で、供給回路は、一の共通電極に隣接する他の共通電極に対して第１電圧及び第２電圧のうちの他方を供給する。
【００１２】
加えて、供給回路は、各共通電極に対して供給される電圧を、所定期間毎に第１電圧から第２電圧へと又は第２電圧から第１電圧へと切り替える。例えば、一の所定期間において一の共通電極に第１電圧及び第２電圧の一方を供給すると共に、一の所定期間に続く他の所定期間において一の共通電極に第１電圧及び第２電圧の他方を供給する。この切替動作は、例えば、各共通電極に対して、隣接する行の走査線に対して選択状態レベル（例えば、ハイレベル）にある走査信号が供給されるタイミングで行われる。他方で、例えば、隣接する行の走査線に対して非選択状態レベル（例えば、ローレベル）にある走査信号が供給されている間は、切替動作は行われることなく、現在供給されている電圧がそのまま供給され続ける。
【００１３】
尚、本発明における「所定期間」とは、第１電圧から第２電圧へと又は第２電圧から第１電圧へと切り替えられる期間として、駆動方式に対応して予め設定される期間を意味し、例えば、一垂直走査期間、フレーム期間、フィールド期間等が一例としてあげられる。また、本発明における「選択状態レベル」とは、走査線と電気的に接続されていると共に走査信号のレベルに応じて状態が切り替わるＴＦＴ等のスイッチング素子をオン状態とする（言い換えれば、該スイッチング素子を含む画素部を選択状態とする）ことができるレベルを示す趣旨である。また、本発明における「非選択状態レベル」とは、走査線と電気的に接続されていると共に走査信号のレベルに応じて状態が切り替わるＴＦＴ等のスイッチング素子をオフ状態とする（言い換えれば、該スイッチング素子を含む画素部を非選択状態とする）ことができるレベルを示す趣旨である。
【００１４】
本発明に係る電気光学装置は、更に制御回路を備えている。制御回路は、複数の走査線を用いた走査が行われているか又は行われていないかに関わらず、複数の共通電極の夫々に対して電圧を供給するように供給回路を制御する。言い換えれば、制御回路は、複数の走査線に対して順に選択状態レベルにある走査信号が供給されているか又は供給されていないかに関わらず、複数の共通電極の夫々に対して電圧を供給するように供給回路を制御する。このときも、制御回路は、相隣接する２つの共通電極に異なる電圧が供給されるように供給回路を制御する。つまり、制御回路は、通常は複数の走査線を用いた走査が行われている場合に複数の共通電極への電圧の供給を行う供給回路に対して、複数の走査線を用いた走査が行われていない場合であっても複数の共通電極への電圧の供給を行わせることができる。言い換えれば、制御回路の動作によって、任意の又は所望のタイミングで複数の共通電極への電圧の供給を行うことができる。
【００１５】
これにより、走査線を用いた走査が開始される前に複数の共通電極に対して電圧を供給することができる。従って、複数の共通電極の電位が不定になってしまうという不都合の発生を好適に防止することができる。特に、この場合であっても、通常のＣＯＭ分割駆動と同様に、相隣接する２つの共通電極に異なる電圧が供給される。このため、電気光学装置は、走査線を用いた走査が開始された際に複数の共通電極の夫々の電位の状態を把握した上で動作（つまり、通常のＣＯＭ分割駆動）を行うことができる。このため、複数の共通電極の電位が不定になることで引き起こされ得る電気光学装置への悪影響を好適に抑制することができる。
【００１６】
本発明の電気光学装置の一の態様では、前記複数の共通電極の夫々は、水平ラインに沿って延在する共通配線と一体に形成されており、前記供給回路は、前記共通配線の一方の端部から前記第１電圧又は前記第２電圧を供給する第１供給回路部と、前記共通配線の他方の端部から前記第１電圧又は前記第２電圧を供給する第２供給回路部とを備える。
【００１７】
この態様によれば、対応する共通電極と一体に形成される共通配線が水平ライン毎に設けられている。そして、第１電圧及び第２電圧は、供給回路から共通配線を介して共通電極に対して供給される。このとき、各共通配線には、第１供給回路部及び第２供給回路部の夫々から同一の電圧が供給される。例えば、各共通配線の夫々の一方の端部に対して第１供給回路部から第１電圧及び第２電圧の一方が供給されると共に、各共通配線の夫々の他方の端部（つまり、一方の端部とは逆側に位置する端部）に対して第２供給回路部から同じ電圧（つまり、第１電圧及び第２電圧の一方）が供給される。
【００１８】
このとき、上述したように、制御回路の動作によって、走査線を用いた走査が開始される前であっても、相隣接する２つの共通電極に異なる電圧が供給されるように複数の共通電極への電圧の供給を行うことができる。このため、第１供給回路部及び第２供給回路部は、複数の共通電極の夫々の電位の状態を把握した上で動作を行うことができる。従って、第１供給回路部が一の共通電極へ供給する電圧の電位と第２回路供給回路部が同じ一の共通電極へ供給する電圧の電位とが異なってしまうという不都合の発生を好適に防止することができる。このため、共通電極（或いは、共通配線）や当該共通電極（或いは、共通配線）に第１電圧又は第２電圧を供給する駆動回路に対して貫通電流が流れてしまうという不都合の発生を好適に抑制することができる。
【００１９】
本発明の電気光学装置の他の態様では、前記第１電圧又は前記第２電圧を選択するための極性信号を保持するラッチ回路を更に備え、前記制御回路は、前記ラッチ回路により保持される前記極性信号及び前記制御回路による制御が行なわれるか否かを示す参照信号の夫々に基づいて、前記複数の共通電極の夫々に対して前記第１電圧及び前記第２電圧を交互に供給するように前記供給回路を制御する。
【００２０】
このように構成すれば、制御回路は、供給回路が通常参照する極性信号と、当該制御回路による制御（つまり、複数の走査線を用いた走査が行われているか又は行われていないかに関わらず、複数の共通電極の夫々に対して電圧を供給するための制御）が行われるか否かを示す参照信号とを参照することで、供給回路を制御することができる。このため、ＣＯＭ分割駆動の通常の動作に影響を与えることなく、複数の共通電極の電位が不定になってしまうという不都合の発生を好適に防止することができる。
【００２１】
上述の如く制御回路が極性信号及び参照信号の夫々に基づいて供給回路を制御する電気光学装置の態様では、前記参照信号の信号レベルに応じて、前記ラッチ回路により保持される前記極性信号及び該極性信号の反転信号の何れか一方又は固定信号レベルを有する固定信号を出力する制御回路部を水平ライン毎に備えるように構成してもよい。
【００２２】
このように構成すれば、制御回路による制御を行なわない場合（つまり、複数の走査線を用いた走査が行われているか又は行われていないかに関わらず、複数の共通電極の夫々に対して電圧を供給するための制御を行なわない場合）には、制御回路部がラッチ回路において保持された極性信号をそのまま或いは反転して出力することで、ＣＯＭ分割駆動の通常の動作を行うことができる。
【００２３】
一方で、制御回路による制御を行なう場合（つまり、複数の走査線を用いた走査が行われているか又は行われていないかに関わらず、複数の共通電極の夫々に対して電圧を供給するための制御を行う場合）には、制御回路部が参照信号に応じた固定信号（言い換えれば、極性信号に依存しない固定信号）を出力することで、複数の走査線を用いた走査が行われているか又は行われていないかに関わらず、相隣接する２つの共通電極に異なる電圧が供給されるように複数の共通電極の夫々に対して電圧を供給することができる。
【００２４】
上述の如く制御回路が水平ライン毎に制御回路部を備える電気光学装置の態様では、前記参照信号は、前記制御回路による制御が行なわれるべき期間はハイレベルとなると共に、前記制御回路による制御が行なわれる期間以外の他の期間はローレベルとなり、前記制御回路部は、前記ラッチ回路により保持される前記極性信号と前記参照信号との否定論理和信号を出力する否定論理和回路を備えるように構成してもよい。
【００２５】
このように構成すれば、参照信号がローレベルとなる場合（つまり、制御回路による制御を行なわない場合）には、制御回路部（特に、制御回路部が備える否定論理和回路）からは、極性信号の反転信号が出力される。従って、供給回路は、極性信号の反転信号に基づいて、相隣接する２つの共通電極に異なる電圧が供給されるように、複数の共通電極の夫々に対して第１電圧及び第２電圧を交互に供給すると共に、各共通電極に供給される電圧を、所定期間毎に切り替えることができる。つまり、ＣＯＭ分割駆動の通常の動作を好適に行うことができる。
【００２６】
他方で、参照信号がハイレベルとなる場合（つまり、制御回路による制御を行なわない場合）には、制御回路部（特に、制御回路部が備える否定論理和回路）からは、相対的にローレベルの固定信号が出力される。つまり、制御回路部からは、極性信号に依存せず且つ走査線を用いた走査が行われるか否かに依存することなく、固定信号が出力される。従って、制御回路部からローレベルからローレベルの信号が出力された場合には、複数の走査線を用いた走査が行われているか又は行われていないかに関わらず、相隣接する２つの共通電極に異なる電圧が供給されるように複数の共通電極の夫々に対して電圧を供給することができる。
【００２７】
本発明の電気光学装置の他の態様では、前記制御回路は、前記電気光学装置の電源が投入された直後に、前記複数の共通電極の夫々に対して前記第１電圧及び前記第２電圧を交互に供給するように前記供給回路を制御する。
【００２８】
この態様によれば、電気光学装置の電源が投入された直後という複数の共通電極の電位が不定になってしまいやすいタイミングで、複数の共通電極に対して電圧を供給することができる。このため、複数の共通電極の電位が不定になることで引き起こされ得る電気光学装置への悪影響を好適に抑制することができる。
【００２９】
本発明の電気光学装置の他の態様では、前記電気光学装置は、前記複数の画素電極及び前記複数の共通電極の夫々が形成される第１基板と、前記第１基板に対向するように配置される第２基板とを備えており、前記電気光学物質は、前記第１基板及び前記第２基板の間に挟持される。
【００３０】
この態様によれば、例えば、ＦＦＳ方式やＩＰＳ方式等の横電界駆動方式の電気光学装置において、上述した各種効果を享受することができる。
【００３１】
尚、複数の共通電極は、第２基板側に形成されてもよい。
【００３２】
本発明の他の電気光学装置は、複数の走査線、複数のデータ線、前記複数の走査線と前記複数のデータ線との交差に対応して設けられた複数の画素電極、及び当該画素電極に対応して設けられ前記走査線に沿う方向に分割された複数の共通電極を有する第１基板と、当該第１基板に対向配置された第２基板と、前記第１基板と前記第２基板との間に設けられた電気光学物質と、を備える電気光学装置であって、前記複数の共通電極の両端に配置され、前記共通電極の両端から第１電圧と、前記第１電圧よりも電位の高い第２電圧と、を共通電極に供給する第１供給回路部と第２供給回路部と、前記第１供給回路部及び前記第２供給回路部から前記共通電極に出力される電圧を共通電極ごとにすべて一致させる制御回路と、前記走査線を選択する選択電圧を前記複数の走査線に順次供給する走査線駆動回路と、前記走査線が選択された際に、前記第１電圧よりも電位の高い正極性の画像信号と、前記第２電圧よりも電位の低い負極性の画像信号と、を交互に前記複数のデータ線に供給するデータ線駆動回路と、を備え、前記制御回路により前記第１供給回路部及び前記第２供給回路部から共通電極に出力する電圧を各共通電極ごとにすべて一致させてから、前記第１供給回路部及び前記第２供給回路部から前記第１電圧を前記共通電極に供給し、前記走査線駆動回路により前記選択電圧を前記走査線に供給するとともに、前記データ線駆動回路により前記正極性の画像信号を前記データ線に供給し、前記第１供給回路部及び前記第２供給回路部により前記第２電圧を前記共通電極に供給し、前記走査線駆動回路により前記選択電圧を前記走査線に供給するとともに、前記データ線駆動回路により前記負極性の画像信号を前記データ線に供給する。
【００３３】
この態様によれば、片方の基板上に設けられた画素電極と共通電極間の横電界若しくは斜め電界により液晶を駆動する横電界方式の電気光学装置において、共通電極は、走査線に沿う方向、すなわち水平ライン方向に走査線ごと、若しくは複数の走査線ごとに分割さている。よって、共通電極は、水平ライン方向に細長い形状となり、配線抵抗が高くなるため、電圧供給回路部に高い能力が必要になる。そのため共通電極の両端に電圧供給回路部（第１供給回路部、第２供給回路部）を配置し、共通電極の両端から電圧を供給する構成としている。また、両端に配置された第１および第２供給回路部から供給される電圧を一致させるように、第１供給回路部と第２供給回路部から前記共通電極に出力される電圧を各共通電極ごとにすべて一致させる制御回路を備えている。このため、第１供給回路部と第２供給回路部から供給される電圧が不一致になることで、第１供給回路部と第２供給回路部間に貫通電流が流れ、共通電極、第１および第２供給回路部、および周辺回路部に劣化、断線、破壊などのダメージが生じることを防ぐことが出来る。
【００３４】
（電子機器）
上記課題を解決するために、本発明の電子機器は、上述した本発明の電気光学装置（但し、その各種態様を含む）を備える。
【００３５】
本発明の電子機器によれば、上述した本発明の電気光学装置（或いは、その各種態様）備えているため、上述した本発明の電気光学装置が享受する各種効果と同様の効果を享受することができる。つまり、上述した本発明の電気光学装置が享受する各種効果と同様の効果を享受することができる投射型表示装置、テレビ、携帯電話、電子手帳、携帯オーディオプレーヤ、ワードプロセッサ、デジタルカメラ、ビューファインダ型又はモニタ直視型のビデオレコーダ、ワークステーション、テレビ電話、ＰＯＳ端末、タッチパネルなどの各種電子機器を実現することができる。
【００３６】
本発明の作用及び他の利得は次に説明する実施の形態から更に明らかにされよう。
【発明を実施するための最良の形態】
【００３７】
以下、本発明を実施するための最良の形態を、図面に基づいて説明する。尚、以下では、本発明に係る電気光学装置の一例として、液晶装置を用いて説明を進める。
【００３８】
（１）液晶装置の基本構成
先ず、本実施形態に係る液晶装置の構成について、図１及び図２を参照して説明する。図１は、本実施形態に係る液晶装置の構成を示す平面図であり、図２は、図１のＨ−Ｈ’断面図である。
【００３９】
図１及び図２において、本実施形態に係る液晶装置１００では、本発明に係る「第１基板」の一例としてのＴＦＴアレイ基板１０と本発明における「第２基板」の一例としての対向基板２０とが対向配置されている。ＴＦＴアレイ基板１０と対向基板２０との間に液晶層５０が封入されており、ＴＦＴアレイ基板１０と対向基板２０とは、画像表示領域１０ａの周囲に位置する枠状或いは額縁状のシール領域に設けられたシール材５２により互いに貼り合わされている。
【００４０】
シール材５２は、両基板を貼り合わせるための、例えば紫外線硬化樹脂、熱硬化樹脂等からなり、製造プロセスにおいてＴＦＴアレイ基板１０上に塗布された後、紫外線照射、加熱等により硬化させられたものである。シール材５２中には、ＴＦＴアレイ基板１０と対向基板２０との間隔（基板間ギャップ）を所定値とするためのグラスファイバ或いはガラスビーズ等のスペーサが散布されている。
【００４１】
シール材５２が配置されたシール領域の内側に並行して、画像表示領域１０ａの額縁領域を規定する遮光性の額縁遮光膜５３が、対向基板２０側に設けられている。周辺領域のうち、シール材５２が配置されたシール領域の外側に位置する領域には、データ線駆動回路１０１及び外部回路接続端子１０２がＴＦＴアレイ基板１０の一辺に沿って設けられている。但し、データ線駆動回路１０１は、シール領域よりも内側に、データ線駆動回路１０１が額縁遮光膜５３に覆われるようにして設けられていてもよい。また、共通配線駆動回路１１０は、この一辺に隣接する２辺に沿ったシール領域の内側に、額縁遮光膜５３に覆われるようにして設けられている。また、不図示の走査線駆動回路１０４もまた、シール領域の内側に、額縁遮光膜５３に覆われるようにして設けられている。
【００４２】
図２において、ＴＦＴアレイ基板１０上には、駆動素子である画素スイッチング用のＴＦＴ（Thin Film Transistor）や走査線、データ線等の配線が作り込まれた積層構造が形成されている。具体的には、画像表示領域１０ａには、画素スイッチング用ＴＦＴや走査線、データ線等の配線の上層に共通電極１１、絶縁層１２及び画素電極９ａがこの順に形成されている。つまり、本実施形態に係る液晶装置１００は、画素電極９ａと共通電極１１との間に生ずる電界によって液晶層５０の配向状態を制御する横電界駆動方式（特に、ＦＦＳ（Fringe Field Switching）方式）を採用している。ここで、画素電極９ａは、画像表示領域１０ａを構成する各画素を形成するようにマトリクス状に設けられている。一方で、共通電極１１は、１つの行に属する画素電極９ａに対応する共通電極が、１水平ラインごとに配置される走査線ごとに配置されるデータ線ごとに分割されている。尚、共通電極１１は、複数ラインごとに分割、すなわち、１以上の水平ラインごとの画素電極に対応して形成されていてもよい。また、本実施形態では、共通電極１１と共通配線ＣＯＭは、同一プロセスにより一体に形成されている。他方、対向基板２０におけるＴＦＴアレイ基板１０との対向面上に、遮光膜２３が形成されている。遮光膜２３は、例えば遮光性金属膜等から形成されており、対向基板２０上の画像表示領域１０ａ内で、例えば格子状等にパターニングされている。そして、遮光膜２３上にカラーフィルタ８が形成されている。また、液晶層５０は、例えば一種又は数種類のネマティック液晶を混合した液晶からなり、一対の基板間で、所定の配向状態をとる。
【００４３】
尚、ここでは図示しないが、ＴＦＴアレイ基板１０上には、データ線駆動回路１０１、走査線駆動回路１０４の他に、製造途中や出荷時の当該液晶装置の品質、欠陥等を検査するための検査回路、検査用パターン等が形成されていてもよい。
【００４４】
（２）液晶装置の詳細な構成
続いて、図３を参照して、本実施形態に係る液晶装置１００の要部の電気的な構成について説明する。ここに、図３は、本実施形態に係る液晶装置１００の要部の電気的な構成を概念的に示すブロック図である。
【００４５】
図３において、本実施形態に係る液晶装置１００は、そのＴＦＴアレイ基板１０上の画像表示領域１０ａの周辺に位置する周辺領域に、走査線駆動回路１０４、データ線駆動回路１０１、２つの共通配線駆動回路１１０等の駆動回路が形成されている。
【００４６】
走査線駆動回路１０４は、走査信号を、走査線Ｙ１からＹｎ（但し、ｎは１以上の整数）に順次供給する。例えば、ある走査線Ｙａ（但し、ａは、１≦ａ≦ｎを満たす整数）にハイレベルの走査信号が供給されると、この走査線Ｙａに接続されたＴＦＴ１１６が全てオン状態となり、この走査線Ｙａに対応する画素部７０が全て選択される。
【００４７】
データ線駆動回路１０１は、画像信号を、データ線Ｘ１からＸｍ（但し、ｍは１以上の整数）に順次供給し、オン状態のＴＦＴ１１６を介してこの画像信号に基づく画像電圧を画素電極９ａに書き込む。
【００４８】
共通配線駆動回路１１０は、後に詳述するように、第１電圧ＶＣＯＭＨ又は第１電圧ＶＣＯＭＨよりも電位が低い第２電圧ＶＣＯＭＬ（言い換えれば、所定の基準電位（例えば、画像信号に基づく画像電圧の中心電位）に対して正極性の第１電圧ＶＣＯＭＨ（例えば、５Ｖ）又は所定の基準電位に対して負極性の第２電圧ＶＣＯＭＬ（例えば、０Ｖ））を、共通配線ＣＯＭ１からＣＯＭｎに供給する。より具体的には、共通配線駆動回路１１０は、ａ行目の共通配線ＣＯＭａに対して、１フレーム期間毎に、第１電圧ＶＣＯＭＨと第２電圧ＶＣＯＭＬとを交互に供給する。例えば、共通配線駆動回路１１０は、ある１フレーム期間において、共通配線ＣＯＭａに第１電圧ＶＣＯＭＨを供給した場合には、次の１フレーム期間において、共通配線ＣＯＭａに第２電圧ＶＣＯＭＬを供給する。他方、共通配線駆動回路１１０は、ある１フレーム期間において、共通配線ＣＯＭａに第２電圧ＶＣＯＭＬを供給した場合には、次の１フレーム期間において、共通配線ＣＯＭａに第１電圧ＶＣＯＭＨを供給する。また、共通配線駆動回路１１０は、互いに隣接する共通配線ＣＯＭａ−１と共通配線ＣＯＭａには、互いに異なる電圧を供給する。つまり、共通配線駆動回路１１０は、共通配線ＣＯＭａ−１に第１電圧ＶＣＯＭＨ（又は、第２電圧ＶＣＯＭＬ）を供給する一方で、共通配線ＣＯＭａ−１に隣接する共通配線ＣＯＭａに第２電圧ＶＣＯＭＬ（又は、第１電圧ＶＣＯＭＨ）を供給する。尚、共通配線駆動回路１１０の構成や詳細な動作については後に詳細に説明する（図４から図７参照）。
【００４９】
尚、本実施形態では、画像表示領域１０ａの左右の夫々に共通配線駆動回路１１０が設けられている。この２つの共通配線駆動回路１１０は、互いに同じ構成を有すると共に同じ動作（同じ信号、電圧が入力され、同じタイミングで、同じ信号、電圧を共通配線ＣＯＭａに出力する）を行う。このため、以降の説明では、単に“共通線駆動回路１１０”と称する場合には、２つの共通配線駆動回路１１０の夫々を示しているものとする。
【００５０】
本実施形態に係る液晶装置１００には、更に、そのＴＦＴアレイ基板１０の中央を占める画像表示領域１０ａに、マトリクス状に配列された複数の画素部７０が設けられている。
【００５１】
画素部７０は、画素スイッチング用のＴＦＴ１１６、液晶容量１１８及び蓄積容量１１９を備えている。
【００５２】
ＴＦＴ１１６は、ソース端子がデータ線Ｘ１からＸｍのいずれかに電気的に接続され、ゲート端子が走査線Ｙ１からＹｎのいずれかに電気的に接続され、ドレイン端子が画素電極９ａに電気的に接続されている。画素スイッチング用のＴＦＴ１１６は、走査線駆動回路１０４から供給される走査信号によってオン状態及びオフ状態が切り換えられる。
【００５３】
液晶容量１１８は、画素電極９ａ、共通電極１１並びに画素電極９ａ及び共通電極１１間に位置する液晶から構成されている。画素電極９ａは、ＴＦＴ１１６を介してデータ線Ｘ１からＸｍのいずれかと電気的に接続されている。共通電極１１は、共通配線ＣＯＭ１からＣＯＭｎのいずれかと電気的に接続されている。尚、画素電極９ａ及び共通電極１１は、上述したように、いずれもＴＦＴアレイ基板１０上に設けられている。液晶装置１００の動作時には、データ線Ｘ１からＸｍ及びＴＦＴ１１６を介して供給された画像信号の電位を有する画素電極９ａと、共通配線ＣＯＭ１からＣＯＭｎを介して供給された第１電圧ＶＣＯＭＨ又は第２電圧ＶＣＯＭＬの電位を有する共通電極１１との間には、ＴＦＴアレイ基板１０の基板面に沿った横電界が生じる。液晶は、当該横電界に応じて駆動されることによって、即ち、当該横電界に応じて分子集合の配向や秩序が変化することによって、光を変調し、階調表示を可能とする。
【００５４】
蓄積容量１１９は、保持された画像信号がリークするのを防ぐために、液晶容量１１８と並列に付加されている。蓄積容量１１９を構成する一方の電極は、画素電極９ａに電気的に接続され、他方の電極は、共通電極１１に電気的に接続されている。尚、本実施形態では、共通配線ＣＯＭａは、１水平ラインごとに分割された共通電極１１と一体に形成されている。
【００５５】
以上の液晶装置１００は、以下のように動作する。
【００５６】
まず、走査線駆動回路１０４から走査線Ｙａにハイレベルの走査信号を供給することで、走査線Ｙａに接続された全てのＴＦＴ１１６をオン状態にして、走査線Ｙａに係る全ての画素部７０を選択する。
【００５７】
また、走査線Ｙａに係る画素部７０の選択に同期して、データ線駆動回路１０１からデータ線Ｘ１からＸｍに、共通配線ＣＯＭ１からＣＯＭｎの電位に応じて、正極性の画像信号と負極性の画像信号とを、１水平走査期間毎に交互に供給する。具体的には、共通配線ＣＯＭａの電位が第１電圧ＶＣＯＭＨであれば、所定の基準電位に対して負極性の画像信号をデータ線Ｘ１からＸｍに供給する。他方、共通配線ＣＯＭａの電位が第２電圧ＶＣＯＭＬであれば、所定の基準電位に対して正極性の画像信号をデータ線Ｘ１からＸｍに供給する。
【００５８】
これにより、走査線駆動回路１０４で選択した全ての画素部７０に、データ線駆動回路１０１からデータ線Ｘ１からＸｍ及びＴＦＴ１１６を介して画像信号が供給される、この画像信号に基づく画像電圧が画素電極９ａに書き込まれる。これにより、画素電極９ａと共通電極１１との間に電位差が生じて、駆動電圧が液晶に印加される。
【００５９】
（３）共通配線駆動回路の具体的な構成及び動作
続いて、図４を参照して、共通配線駆動回路１１０の具体的な構成及び動作について説明する。ここに、図４は、共通配線駆動回路１１０の構成を概念的に示すブロック図である。
【００６０】
図４に示すように、共通配線駆動回路１１０は、ラッチ回路１１１と、本発明における「制御回路」の一具体例を構成する制御信号出力回路１１２と、本発明における「供給回路、第１供給回路部、第２供給回路部」の一具体例を構成する電圧選択回路１１３とを備えている。
【００６１】
続いて、図５を参照して、共通配線駆動回路１１０が備えるラッチ回路１１１の構成について説明する。ここに、図５は、共通配線駆動回路１１０が備えるラッチ回路１１１の構成を概念的に示すブロック図である。
【００６２】
図５に示すように、ラッチ回路１１１は、１行目の共通配線ＣＯＭ１及びｎ行目の共通配線ＣＯＭｎに対応して設けられた第１ラッチ回路部１１１−１＃１及び１１１−１＃ｎと、２行目からｎ−１行目の共通配線ＣＯＭ２からＣＯＭｎ−１に対応して設けられた第２ラッチ回路部１１１−２＃２から１１１−２＃ｎ−１（つまり、共通配線ＣＯＭｂ（但し、ｂは、２≦ｂ≦ｎ−１を満たす整数）に対応して設けられた第２ラッチ回路部１１１−２＃ｂ）とを含んでいる。
【００６３】
第２ラッチ回路部１１１−２＃ｂは、ＮＯＲ回路Ｕ１１、第１インバータＵ１２、第２インバータＵ１３、第１クロックドインバータＵ１４及び第２クロックドインバータＵ１５を備えている。
【００６４】
ＮＯＲ回路Ｕ１１の２つの入力端子には、夫々、第２ラッチ回路部１１１−２＃ｂに対応する共通配線ＣＯＭｂの前段（つまり、前の行であって、ｂ−１行目）の走査線ｂ−１と、第２ラッチ回路部１１１−２＃ｂに対応する共通配線ＣＯＭｂの後段（つまり、後の行であって、ｂ＋１行目）の走査線Ｙｂ＋１とが電気的に接続されている。
【００６５】
第１インバータＵ１２の入力端子、第１クロックドインバータＵ１４の反転入力制御端子及び第２クロックドインバータＵ１５の非反転入力端子の夫々には、ＮＯＲ回路Ｕ１１の出力端子が電気的に接続されている。また、第１インバータＵ１２の出力端子には、第１のクロックドインバータＵ１４の非反転入力制御端子及び第２クロックドインバータＵ１５の反転入力端子の夫々が電気的に接続されている。
【００６６】
第１クロックドインバータＵ１４の入力端子には、極性信号ＰＯＬが入力されている。尚、極性信号ＰＯＬは、１垂直走査期間（例えば、１フィールド期間又は１フレーム期間）毎に電位レベルがハイレベルからローレベルへと又はローレベルからハイレベルへと切り替わる信号である。第１クロックドインバータＵ１４の出力端子には、第２クロックドインバータＵ１５の出力端子及び第２インバータＵ１３の入力端子の夫々が電気的に接続されている。第２クロックドインバータＵ１５の入力端子には、第２インバータＵ１３の出力端子が電気的に接続されている。
【００６７】
以上の第２ラッチ回路部１１１−２＃ｂは、以下のように動作する。
【００６８】
まず、走査線Ｙｂ−１及び走査線Ｙｂ＋１の少なくとも一方にハイレベルの走査信号が供給されると、該ハイレベルの走査信号は、ＮＯＲ回路Ｕ１１に入力される。その結果、ＮＯＲ回路Ｕ１１の出力端子からは、ローレベルの信号が出力される。ＮＯＲ回路Ｕ１１の出力であるローレベルの信号は、第１クロックドインバータＵ１４の反転入力制御端子に入力される。また、ＮＯＲ回路Ｕ１１の出力であるローレベルの信号は、第１インバータＵ１２により極性が反転されてハイレベルの信号に変換され、該ハイレベルの信号が第１クロックドインバータＵ１４の非反転入力制御端子に入力される。このため、第１クロックドインバータＵ１４はオン状態となり、極性信号ＰＯＬの極性を反転した信号である反転極性信号／ＰＯＬを出力する。この第１クロックドインバータＵ１４から出力された反転極性信号／ＰＯＬは、第２インバータＵ１３により極性が再度反転されて極性信号ＰＯＬに戻り、ラッチ信号ＬＡＴｂとして出力される。
【００６９】
他方、走査線Ｙｂ−１及び走査線Ｙｂ＋１の双方にローレベルの走査信号が供給されると、該ローレベルの走査信号は、ＮＯＲ回路Ｕ１１に入力される。その結果、ＮＯＲ回路Ｕ１１の出力端子からは、ハイレベルの信号が出力される。ＮＯＲ回路Ｕ１１の出力であるハイレベルの信号は、第２クロックドインバータＵ１５の非反転入力制御端子に入力される。また、ＮＯＲ回路Ｕ１１の出力であるハイレベルの信号は、第１インバータＵ１２により極性が反転されてローレベルの信号に変換され、該ローレベルの信号が第２クロックドインバータＵ１５の反転入力制御端子に入力される。このため、第２クロックドインバータＵ１５はオン状態となり、第２インバータＵ１３から出力された極性信号ＰＯＬの極性を反転した信号（つまり、反転極性信号／ＰＯＬ）を出力する。この第２クロックドインバータＵ１５から出力された反転極性信号／ＰＯＬは、第２インバータＵ１３により極性が再度反転されて極性信号ＰＯＬに戻り、極性信号ＰＯＬがラッチ信号ＬＡＴｂとして出力される。
【００７０】
即ち、第２ラッチ回路部１１１−２＃ｂは、走査線Ｙｂ−１及び走査線Ｙｂ＋１の少なくとも一方にハイレベルの走査信号が供給されると、極性信号ＰＯＬを取り込んで、この取り込んだ極性信号ＰＯＬをラッチ信号ＬＡＴｂとして出力する。また、第２ラッチ回路部１１１−２＃ｂは、走査線Ｙｂ−１及び走査線Ｙｂ＋１の双方にローレベルの走査信号が供給されると、ラッチ信号ＬＡＴｂを第２インバータＵ１３及び第２クロックドインバータＵ１５により保持しつつ、出力する。つまり、第２ラッチ回路部１１１−２＃ｂは、ハイレベルの走査信号が走査線Ｙｂ−１及び走査線Ｙｂ＋１の少なくとも一方に入力された時点で取り込んだ極性信号ＰＯＬを、少なくとも１垂直走査期間の間出力し続けることができる。
【００７１】
続いて、第１ラッチ回路部１１１−１＃１及び１１１−１＃ｎについて説明する。第１ラッチ回路部１１１−１＃１及び１１１−１＃ｎは、第２ラッチ回路部１１１−２＃ｂと比較して、ＮＯＲ回路Ｕ１１に代えて、低電位電源ＶＬＬが第１インバータＵ１２の入力端子、第１クロックドインバータＵ１４の反転入力制御端子及び第２クロックドインバータＵ１５の非反転入力端子の夫々に電気的に接続されているという点において異なっている。第１ラッチ回路部１１１−１＃１及び１１１−１＃ｎの動作については、第２ラッチ回路部１１１−２＃ｂの動作と同様である。つまり、第１ラッチ回路部１１１−１＃１及び１１１−１＃ｎでは、第１クロックドインバータＵ１４が常にオン状態になり、取り込んだ極性信号ＰＯＬを、常に出力し続けることができる。
【００７２】
続いて、図６を参照して、共通配線駆動回路１１０が備える制御信号出力回路１１２の構成について説明する。ここに、図６は、共通配線駆動回路１１０が備える制御信号出力回路１１２の構成を概念的に示すブロック図である。
【００７３】
図６に示すように、制御信号出力回路１１２は、１行目からｎ行目の共通配線ＣＯＭ１からＣＯＭｎに対応して設けられた制御信号出力回路部１１２−１＃ａ（但し、ａは、１≦ａ≦ｎを満たす整数）を含んでいる。
【００７４】
制御信号出力回路部１１２−１＃ａは、ＮＯＲ回路Ｕ２１を備えている。ＮＯＲ回路Ｕ２１の２つの入力端子には、夫々、ラッチ信号ＬＡＴａ及びリセット信号ＲＳＴが入力される。ＮＡＮＤ回路Ｕ２１の出力端子は、インバータＵ２２の入力端子と電気的に接続されている。
【００７５】
尚、リセット信号ＲＳＴは、本発明における「参照信号」の一具体例を構成しており、液晶装置１００のリセット動作（特に、走査線Ｙ１からＹｎに走査信号が供給されているか否かに関わらず、共通配線ＣＯＭ１からＣＯＭｎの夫々に対して電圧を供給するリセット動作）が行われるか否かを示す信号である。具体的には、リセット信号ＲＳＴは、例えば、リセット動作を行う間はハイレベルの信号レベルを有する一方で、リセット動作を行わない間はローレベルの信号レベルを有する信号である。このリセット信号ＲＳＴは、典型的には、液晶装置１００の電源が投入された（つまり、ＯＦＦからＯＮに切り替えられた）後の所定期間ハイレベルになると共に、その後はローレベルになる。
【００７６】
以上の制御信号出力回路部１１２−１＃ａは、以下のように動作する。
【００７７】
まず、リセット信号ＲＳＴがローレベルの信号である場合には、ＮＯＲ回路Ｕ２１は、ラッチ信号ＬＡＴａの極性を反転した信号である反転ラッチ信号／ＬＡＴａ（つまり、反転極性信号／ＰＯＬ）を制御信号Ｓａとして出力する。他方で、リセット信号ＲＳＴがハイレベルの信号である場合には、ＮＯＲ回路Ｕ２１は、ラッチ信号ＬＡＴａがハイレベルの信号であるか又はローレベルの信号であるかに依存することなく、ローレベルの信号を制御信号Ｓａとして出力する。
【００７８】
続いて、図７を参照して、共通配線駆動回路１１０が備える電圧選択回路１１３の構成について説明する。ここに、図７は、共通配線駆動回路１１０が備える電圧選択回路１１３の構成を概念的に示すブロック図である。
【００７９】
図７に示すように、電圧選択回路１１３は、奇数行の共通配線ＣＯＭｉ（但し、ｉは、１≦ｉ≦ｎを満たす奇数であり、具体的には、１、３、・・・ｋ−１、・・・、ｎ−１）に対応して設けられた第１電圧選択回路部１１３−１＃ｉと、偶数行の共通配線ＣＯＭｊ（但し、ｊは、１≦ｉ≦ｎを満たす偶数であり、具体的には、２、４、・・・、ｋ、・・・、ｎ）に対応して設けられた第２電圧選択回路部１１３−２＃ｊとを含んでいる。尚、図７においては、ｋが偶数である場合の例について図示している。
【００８０】
第１電圧選択回路部１１３−１＃ｉは、インバータＵ３１、ＴＦＴＵ３２及びＴＦＴＵ３３を備えている。インバータＵ３１の入力端子には、制御信号出力部１１２−１＃ｉから出力される制御信号Ｓｉが入力される。ＴＦＴＵ３２の非反転入力ゲート端子及びＴＦＴＵ３３の反転入力ゲート端子の夫々には、インバータＵ３１の出力端子が電気的に接続されている。ＴＦＴＵ３３のソース端子には、第１電圧ＶＣＯＭＨが供給される第１電圧供給線ＺＨが電気的に接続されている。また、ＴＦＴＵ３２のソース端子には、第２電圧ＶＣＯＭＬが供給される第２電圧供給線ＺＬが電気的に接続されている。また、ＴＦＴＵ３２のドレイン端子及びＴＦＴＵ３３のドレイン端子の夫々は、共通配線ＣＯＭｉに電気的に接続される。
【００８１】
また、第２電圧選択回路部１１３−２＃ｊは、インバータＵ３１、ＴＦＴＵ３２及びＴＦＴＵ３３を備えている。インバータＵ３１の入力端子には、制御信号出力部１１２−１＃ｊから出力される制御信号Ｓｊが入力される。ＴＦＴＵ３２の非反転入力ゲート端子及びＴＦＴＵ３３の反転入力ゲート端子の夫々には、インバータＵ３１の出力端子が電気的に接続されている。ＴＦＴＵ３３のソース端子には、第２電圧ＶＣＯＭＬが供給される第２電圧供給線ＺＬが電気的に接続されている。また、ＴＦＴＵ３２のソース端子には、第１電圧ＶＣＯＭＨが供給される第１電圧供給線ＺＨが電気的に接続されている。また、ＴＦＴＵ３２のドレイン端子及びＴＦＴＵ３３のドレイン端子の夫々は、共通配線ＣＯＭｊに電気的に接続される。
【００８２】
以上の第１電圧選択回路部１１３−１＃ｉ及び第２電圧選択回路部１１３−２＃ｊは、以下のように動作する。
【００８３】
まず、制御信号出力回路部１１２−１＃ｉ及び制御信号出力回路部１１２−１＃ｊから反転ラッチ信号／ＬＡＴｉ及び反転ラッチ信号／ＬＡＴｊが制御信号Ｓｉ及びＳｊとして出力されている場合について説明する。つまり、リセット信号ＲＳＴがローレベルの信号である場合について説明する。
【００８４】
この場合、奇数行においては、制御信号出力回路部１１２−１＃ｉからは反転極性信号／ＰＯＬが制御信号Ｓｉとして第１電圧選択回路部１１３−１＃ｉに出力される。この反転極性信号／ＰＯＬは、インバータＵ３１において反転された後、ＴＦＴＵ３２の非反転入力ゲート端子及びＴＦＴＵ３３の反転入力ゲート端子の夫々に入力される。このため、極性信号ＰＯＬの極性がハイレベルである場合には、ＴＦＴＵ３２がオン状態になり、ＴＦＴＵ３３がオフ状態となる。その結果、第２電圧ＶＣＯＭＬを供給する第２電圧供給線ＺＬと走査線ＣＯＭｉとが、ＴＦＴＵ３２を介して電気的に接続される。他方で、極性信号ＰＯＬの極性がローレベルである場合には、ＴＦＴＵ３２がオフ状態になり、ＴＦＴＵ３３がオン状態となる。その結果、第１電圧ＶＣＯＭＨを供給する第１電圧供給線ＺＨと走査線ＣＯＭｉとが、ＴＦＴＵ３３を介して電気的に接続される。
【００８５】
同様に、偶数行においては、制御信号出力回路部１１２−１＃ｊからは反転極性信号／ＰＯＬが制御信号Ｓｊとして第２電圧選択回路部１１３−２＃ｊに出力される。この反転極性信号／ＰＯＬは、インバータＵ３１において反転された後、ＴＦＴＵ３２の非反転入力ゲート端子及びＴＦＴＵ３３の反転入力ゲート端子の夫々に入力される。このため、極性信号ＰＯＬの極性がハイレベルである場合には、ＴＦＴＵ３２がオン状態になり、ＴＦＴＵ３３がオフ状態となる。その結果、第１電圧ＶＣＯＭＨを供給する第１電圧供給線ＺＨと走査線ＣＯＭｊとが、ＴＦＴＵ３２を介して電気的に接続される。他方で、極性信号ＰＯＬの極性がローレベルである場合には、ＴＦＴＵ３２がオフ状態になり、ＴＦＴＵ３３がオン状態となる。その結果、第２電圧ＶＣＯＭＬを供給する第２電圧供給線ＺＬと走査線ＣＯＭｊとが、ＴＦＴＵ３３を介して電気的に接続される。
【００８６】
このように、リセット信号ＲＳＴがローレベルの信号である場合には、互いに隣接する共通配線ＣＯＭａ−１と共通配線ＣＯＭａには、互いに異なる電圧が供給される。特に、リセット信号ＲＳＴがローレベルの信号である場合には、各行の共通配線ＣＯＭａには、当該共通配線ＣＯＭａに隣接する行の走査線Ｙａ−１及び走査線Ｙａ＋１の少なくとも一方にハイレベルの走査信号が入力された時点で取り込んだ極性信号ＰＯＬに応じて、第１電圧ＶＣＯＭＨ又は第２電圧ＶＣＯＭＬが供給される。つまり、通常のＣＯＭ分割駆動が行われる。
【００８７】
続いて、制御信号出力回路部１１２−１＃ｉ及び制御信号出力回路部１１２−１＃ｊからローレベルの信号が制御信号Ｓｉ及びＳｊとして出力されている場合について説明する。つまり、リセット信号ＲＳＴがハイレベルの信号である場合について説明する。
【００８８】
この場合、奇数行においては、制御信号出力回路部１１２−１＃ｉからはローレベルの信号が制御信号Ｓｉとして第１電圧選択回路部１１３−１＃ｉに出力される。このローレベルの信号は、インバータＵ３１において反転された後、ＴＦＴＵ３２の非反転入力ゲート端子及びＴＦＴＵ３３の反転入力ゲート端子の夫々に入力される。このため、ＴＦＴＵ３２がオン状態になり、ＴＦＴＵ３３がオフ状態となる。その結果、第２電圧ＶＣＯＭＬを供給する第２電圧供給線ＺＬと走査線ＣＯＭｉとが、ＴＦＴＵ３２を介して電気的に接続される。
【００８９】
同様に、偶数行においては、制御信号出力回路部１１２−１＃ｊからはローレベルの信号が制御信号Ｓｊとして第２電圧選択回路部１１３−２＃ｊに出力される。このローレベルの信号は、インバータＵ３１において反転された後、ＴＦＴＵ３２の非反転入力ゲート端子及びＴＦＴＵ３３の反転入力ゲート端子の夫々に入力される。このため、ＴＦＴＵ３２がオン状態になり、ＴＦＴＵ３３がオフ状態となる。その結果、第１電圧ＶＣＯＭＨを供給する第１電圧供給線ＺＨと走査線ＣＯＭｊとが、ＴＦＴＵ３２を介して電気的に接続される。
【００９０】
このように、リセット信号ＲＳＴがハイレベルの信号である場合にも、リセット信号ＲＳＴがローレベルである場合と同様に、互いに隣接する共通配線ＣＯＭａ−１と共通配線ＣＯＭａには、互いに異なる電圧が供給される。但し、リセット信号ＲＳＴがハイレベルの信号である場合には、リセット信号ＲＳＴがローレベルの信号である場合と異なり、各行の共通配線ＣＯＭａには、極性信号ＰＯＬに依存することなく且つ走査線Ｙ１からＹｎに走査信号が供給されるか否かに依存することなく、第１電圧ＶＣＯＭＨ又は第２電圧ＶＣＯＭＬが同時に供給される。
【００９１】
ここで、以上の如き動作を行う共通配線駆動回路１１０の動作について、図８を用いて、より詳細に説明する。ここに、図８は、共通配線駆動回路１１０の動作を示すタイミングチャートである。尚、図８においては、走査の方向が順方向である例（つまり、走査線Ｙ１からＹｎに向かって順に走査される例）について説明する。
【００９２】
図８に示すように、時刻ｔ０で液晶装置１００の電源がＯＦＦからＯＮに切り替わったとする。このとき、共通配線ＣＯＭ１からＣＯＭｎの電位について言えば、走査線Ｙ１からＹｎに対してハイレベルの走査信号が供給された後に第１電圧ＶＣＯＭＨへ切り替わるのか又は第２電圧ＶＣＯＭＬに切り替わるのかが不定である。
【００９３】
ここで、時刻ｔ１においてリセット信号ＲＳＴの電位がハイレベルになるとする。この場合、奇数行の共通配線ＣＯＭｉ（但し、ｉ＝１、３、・・・、ｎ−１）には、第２電圧ＶＣＯＭＬが供給される。同様に、偶数行の共通配線ＣＯＭｊ（但し、ｊ＝２、４、・・・、ｎ）には、第１電圧ＶＣＯＭＨが供給される。従って、この時点で、共通配線ＣＯＭ１からＣＯＭｎの電位が明確になると共に、走査線Ｙ１からＹｎに対してハイレベルの走査信号が供給された後に共通配線ＣＯＭ１からＣＯＭｎの電位が第１電圧ＶＣＯＭＨへ切り替わるのか又は第２電圧ＶＣＯＭＬに切り替わるのかが定まる。
【００９４】
その後、リセット信号ＲＳＴの電位がハイレベルからローレベルに切り替わった後、時刻ｔ２において極性信号ＰＯＬがハイレベルからローレベルに反転したとする。極性信号ＰＯＬがローレベルに切り替わるため、奇数行の共通配線ＣＯＭｉ（但し、ｉ＝１、３、・・・、ｎ−１）には、次のフレームで第１電圧ＶＣＯＭＨが供給されるようになる。同様に、偶数行の共通配線ＣＯＭｊ（但し、ｊ＝２、４、・・・、ｎ）には、次のフレームで第２電圧ＶＣＯＭＬが供給されるようになる。
【００９５】
このように、本実施形態に係る液晶装置１００によれば、走査線Ｙ１からＹｎに対してハイレベルの走査信号が供給される前の時点で、複数の共通配線ＣＯＭ１からＣＯＭｎの夫々に対して第１電圧ＶＣＯＭＨ又は第２電圧ＶＣＯＭＬを供給することができる。従って、走査線Ｙ１からＹｎに対してハイレベルの走査信号が供給される前の時点で、複数の共通配線ＣＯＭ１からＣＯＭｎの夫々の電位を確定させることができる。つまり、複数の共通配線ＣＯＭ１からＣＯＭｎの夫々の電位が不定になってしまうという不都合の発生を好適に防止することができる。特に、この場合であっても、通常のＣＯＭ分割駆動と同様に、相隣接する２つの共通配線ＣＯＭａ−１と共通配線ＣＯＭａとには、極性が異なる電圧が供給される。このため、共通線駆動回路１１０は、走査線Ｙ１からＹｎに対してハイレベルの走査信号が供給される時点で、複数の共通配線ＣＯＭ１からＣＯＭｎの夫々の電位の状態を把握した上で動作（つまり、通常のＣＯＭ分割駆動）を行うことができる。つまり、共通線駆動回路１１０は、走査線Ｙ１からＹｎに対してハイレベルの走査信号が供給された後に共通配線ＣＯＭ１からＣＯＭｎの電位が第１電圧ＶＣＯＭＨへ切り替わるのか又は第２電圧ＶＣＯＭＬに切り替わるのかを明確に把握した上で動作（つまり、通常のＣＯＭ分割駆動）を行うことができる。このため、複数の共通配線ＣＯＭ１からＣＯＭｎの電位（言い換えれば、複数の共通電極１１の電位）が不定になることで引き起こされ得る液晶装置１００への悪影響（特に、正常な動作への悪影響）を好適に抑制することができる。
【００９６】
加えて、画像表示領域１０ａの左右端の夫々に隣接するように共通線駆動回路１１０が設けられる場合であっても、２つの共通線駆動回路の夫々は、複数の共通配線ＣＯＭ１からＣＯＭｎの夫々の電位の状態を把握した上で動作を行うことができる。従って、画像表示領域１０ａの左側に設けられる共通線駆動回路１１０が共通電極ＣＯＭａへ供給する電圧の電位と、画像表示領域１０ａの右側に設けられる共通線駆動回路１１０が共通電極ＣＯＭａへ供給する電圧の電位とが異なってしまうという不都合の発生を好適に防止することができる。このため、共通配線ＣＯＭ１からＣＯＭｎ（或いは、共通電極１１）や共通線駆動回路１１０自身に対して貫通電流が流れてしまうという不都合の発生を好適に抑制することができる。
【００９７】
尚、上述の実施形態では、制御信号出力回路部１１２−１＃ａから反転ラッチ信号／ＬＡＴａ（つまり、反転極性信号／ＰＯＬ）又はローレベルの信号が制御信号Ｓａとして出力される制御信号出力回路１１２の例について説明している。しかしながら、制御信号出力回路１１２がこれに限定されないことは言うまでもない。例えば、リセット信号ＲＳＴがローレベルの信号である場合には、制御信号出力回路部１１２−１＃ａからラッチ信号ＬＡＴａ（つまり、極性信号ＰＯＬ）が出力され、且つリセット信号ＲＳＴがハイレベルの信号である場合には、制御信号出力回路部１１２−１＃ａからハイレベルの信号が出力されるように構成してもよい。このように構成しても、上述した効果を好適に享受することができる。但し、図６に示すように制御信号出力回路１１２中の制御信号出力回路部１１２−１＃１から１１２−１＃ｎの夫々が共通の構成を有する場合には、図７に示すように電圧選択回路１１３中の各電圧選択回路が奇数行と偶数行とで異なる構成を有する（つまり、奇数行の第１電圧選択回路部１１３−１＃ｉと偶数行の第２電圧選択回路部１１３−２＃ｊとを有する）ことが好ましい。
【００９８】
他方で、電圧選択回路１１３中の各電圧選択回路部が、全ての行で共通の構成を有する場合も考えられる。このような構成を有する電圧選択回路１１３の一例について、図９を参照して説明する。ここに、図９は、変形例に係る電圧選択回路１１３ａの構成を概念的に示すブロック図である。
【００９９】
例えば、図９に示すように、変形例に係る電圧選択回路１１３ａは、図７に示す電圧選択回路１１３と比較して、奇数行のみならず偶数行においても、第１電圧選択回路部１１３−１＃ｊを備えるという点において異なっている。
【０１００】
このように電圧選択回路１１３中の電圧選択回路部１１３−１＃１から１１３−＃ｎが、全ての行で共通の構成を有する場合には、制御信号出力回路１１２中の制御信号出力回路部１１２−１＃１から１１２−１＃ｎは、奇数行と偶数行とで異なる構成を有することが好ましい。そして、制御出力回路１１２においては、リセット信号ＲＳＴがローレベルの信号である場合には、奇数行の制御信号出力回路部及び偶数行の制御信号出力回路部の夫々から互いに極性が反転した信号（例えば、極性信号ＰＯＬ及び反転極性信号／ＰＯＬ）が出力され、且つリセット信号ＲＳＴがハイレベルの信号である場合には、奇数行の制御信号出力回路部及び偶数行の制御信号出力回路部の夫々から互いに極性が反転していると共に固定信号レベルを有する固定信号が出力されるように構成されることが好ましい。このような構成を有する制御信号出力回路１１２の一例について、図１０を参照して説明する。ここに、図１０は、変形例に係る制御信号出力回路１１２ａの構成を概念的に示すブロック図である。
【０１０１】
図１０に示すように、変形例に係る制御信号出力回路１１２ａは、図７に示す制御信号出力回路と比較して、偶数行の制御信号出力部１１２−１＃ｊに代えて、インバータＵ２２が新たに追加された偶数行の制御信号出力回路部１１２−２＃ｊを備えるという点において異なっている。尚、奇数行の制御信号出力回路部１１２−１＃ｉについては変わらない。
【０１０２】
偶数行の制御信号出力回路部１１２−２＃ｊからは、リセット信号ＲＳＴがローレベルの信号である場合には、極性信号ＰＯＬが制御信号Ｓｊとして出力される一方で、リセット信号ＲＳＴがハイレベルの信号である場合には、ハイレベルの信号が制御信号Ｓｊとして出力される。また、奇数行の制御信号出力回路部１１２−１＃ｉからは、上述したように、リセット信号ＲＳＴがローレベルの信号である場合には、反転極性信号／ＰＯＬが制御信号Ｓｉとして出力される一方で、リセット信号ＰＳＬがハイレベルの信号である場合には、ローレベルの信号が制御信号Ｓｉとして出力する。
【０１０３】
この場合、変形例に係る電圧選択回路１１３ａは、以下のように動作する。
【０１０４】
まず、リセット信号ＲＳＴがローレベルの信号である場合について説明する。この場合、奇数行の第１電圧選択回路部１１３ａ−１＃ｉにおいては、奇数行の制御信号出力回路部１１２−１＃ｉから入力される反転極性信号／ＰＯＬが、インバータＵ３１において反転された後、ＴＦＴＵ３２の非反転入力ゲート端子及びＴＦＴＵ３３の反転入力ゲート端子の夫々に入力される。このため、極性信号ＰＯＬの極性がハイレベルである場合には、ＴＦＴＵ３２がオン状態になり、ＴＦＴＵ３３がオフ状態となる。その結果、第２電圧ＶＣＯＭＬを供給する第２電圧供給線ＺＬと走査線ＣＯＭｉとが、ＴＦＴＵ３２を介して電気的に接続される。他方で、極性信号ＰＯＬの極性がローレベルである場合には、ＴＦＴＵ３２がオフ状態になり、ＴＦＴＵ３３がオン状態となる。その結果、第１電圧ＶＣＯＭＨを供給する第１電圧供給線ＺＨと走査線ＣＯＭｉとが、ＴＦＴＵ３３を介して電気的に接続される。また、偶数行の第２電圧選択回路部１１３−１＃ｊにおいては、奇数行の制御信号出力回路部１１２−２＃ｊから入力される極性信号ＰＯＬが、インバータＵ３１において反転された後、ＴＦＴＵ３２の非反転入力ゲート端子及びＴＦＴＵ３３の反転入力ゲート端子の夫々に入力される。このため、極性信号ＰＯＬの極性がハイレベルである場合には、ＴＦＴＵ３２がオフ状態になり、ＴＦＴＵ３３がオン状態となる。その結果、第１電圧ＶＣＯＭＨを供給する第１電圧供給線ＺＨと走査線ＣＯＭｊとが、ＴＦＴＵ３３を介して電気的に接続される。他方で、極性信号ＰＯＬの極性がローレベルである場合には、ＴＦＴＵ３２がオン状態になり、ＴＦＴＵ３３がオフ状態となる。その結果、第２電圧ＶＣＯＭＬを供給する第２電圧供給線ＺＬと走査線ＣＯＭｊとが、ＴＦＴＵ３２を介して電気的に接続される。
【０１０５】
このように、リセット信号ＲＳＴがローレベルの信号である場合には、互いに隣接する共通配線ＣＯＭａ−１と共通配線ＣＯＭａには、互いに異なる電圧が供給される。特に、リセット信号ＲＳＴがローレベルの信号である場合には、各行の共通配線ＣＯＭａには、当該共通配線ＣＯＭａに隣接する行の走査線Ｙａ−１及び走査線Ｙａ＋１の少なくとも一方にハイレベルの走査信号が入力された時点で取り込んだ極性信号ＰＯＬに応じて、第１電圧ＶＣＯＭＨ又は第２電圧ＶＣＯＭＬが供給される。つまり、通常のＣＯＭ分割駆動が行われる。
【０１０６】
続いて、リセット信号ＲＳＴがハイレベルの信号である場合について説明する。この場合、奇数行の第１電圧選択回路部１１３−１＃ｉにおいては、奇数行の制御信号出力回路部１１２−１＃ｉから入力されるローレベルの信号が、インバータＵ３１において反転された後、ＴＦＴＵ３２の非反転入力ゲート端子及びＴＦＴＵ３３の反転入力ゲート端子の夫々に入力される。このため、ＴＦＴＵ３２がオン状態になり、ＴＦＴＵ３３がオフ状態となる。その結果、第２電圧ＶＣＯＭＬを供給する第２電圧供給線ＺＬと走査線ＣＯＭｉとが、ＴＦＴＵ３２を介して電気的に接続される。また、偶数行の第１電圧選択回路部１１３−１＃ｊにおいては、偶数行の制御信号出力回路部１１２−２＃ｊから入力されるハイレベルの信号が、インバータＵ３１において反転された後、ＴＦＴＵ３２の非反転入力ゲート端子及びＴＦＴＵ３３の反転入力ゲート端子の夫々に入力される。このため、ＴＦＴＵ３２がオフ状態になり、ＴＦＴＵ３３がオン状態となる。その結果、第１電圧ＶＣＯＭＨを供給する第１電圧供給線ＺＨと走査線ＣＯＭｊとが、ＴＦＴＵ３３を介して電気的に接続される。
【０１０７】
このように、リセット信号ＲＳＴがハイレベルの信号である場合にも、リセット信号ＲＳＴがローレベルである場合と同様に、互いに隣接する共通配線ＣＯＭａ−１と共通配線ＣＯＭａには、互いに異なる電圧が供給される。但し、リセット信号ＲＳＴがハイレベルの信号である場合には、リセット信号ＲＳＴがローレベルの信号である場合と異なり、各行の共通配線ＣＯＭａには、極性信号ＰＯＬに依存することなく且つ走査線Ｙ１からＹｎに走査信号が供給されるか否かに依存することなく、第１電圧ＶＣＯＭＨ又は第２電圧ＶＣＯＭＬが同時に供給される。
【０１０８】
従って、図９及び図１０に示すように構成したとしても、上述した効果を好適に享受することができる。
【０１０９】
尚、上述の説明では、液晶装置１００の電源が投入された直後にリセット信号ＲＳＴがハイレベルになる例について説明している。しかしながら、リセット信号ＲＳＴがハイレベルになるタイミングは、これに限定されることはなく、省エネモードからの復帰時、表示モードの切り替え時、任意のタイミング、又は所望のタイミングでリセット信号ＲＳＴをハイレベルにしたとしても、上述した効果を享受することができることは言うまでもない。
【０１１０】
尚、上述の説明では、画素電極９ａと共通電極１１とがＴＦＴ基板１０上に設けられつつも夫々異なる層に設けられると共に、画素電極９ａと共通電極１１とが絶縁層１２を間に挟持し、液晶層５０側の画素電極９ａに開口部を有するＦＦＳ方式を採用する液晶装置１００について説明を進めているが、液晶層５０側に、開口部を有する共通電極１１を設けるように構成してもよい。また、画素電極９ａと共通電極１１とが同じ層に設けられるＩＰＳ方式を採用する液晶装置においても、上述した構成を採用することで、上述した各種効果を享受することができることは言うまでもない。また、横電界駆動方式を採用する液晶装置のみならず、例えばＴＮ（ツイスト・ネマティック）方式や、ＥＣＢ（複屈折電界効果）方式や、ＶＡ（垂直配向）方式等の縦電界駆動方式を採用する液晶装置においても、上述した構成を採用することで、上述した各種効果を相応に享受することができる。
【０１１１】
（４）電子機器
続いて、図１１及び図１２を参照しながら、上述の液晶装置１００を具備してなる電子機器の例を説明する。
【０１１２】
図１１は、上述した液晶装置１００が適用されたモバイル型のパーソナルコンピュータの斜視図である。図１１において、コンピュータ１２００は、キーボード１２０２を備えた本体部１２０４と、上述した液晶装置１００を含んでなる液晶表示ユニット１２０６とから構成されている。液晶表示ユニット１２０６は、液晶装置１００の背面にバックライトを付加することにより構成されている。
【０１１３】
次に、上述した液晶装置１００を携帯電話に適用した例について説明する。図１２は、電子機器の一例である携帯電話の斜視図である。図１２において、携帯電話１３００は、複数の操作ボタン１３０２とともに、半透過反射型の表示形式を採用し、且つ上述した液晶装置１００と同様の構成を有する液晶装置１００５を備えている。
【０１１４】
これらの電子機器においても、上述した液晶装置１００を含んでいるため、上述した各種効果を好適に享受することができる。
【０１１５】
尚、図１１及び図１２を参照して説明した電子機器の他にも、液晶テレビ、ビューファインダ型又はモニタ直視型のビデオテープレコーダ、カーナビゲーション装置、ページャ、電子手帳、電卓、ワードプロセッサ、ワークステーション、テレビ電話、ＰＯＳ端末、タッチパネルを備えた直視型の表示装置や、液晶プロジェクタ等の投射型の表示装置等が挙げられる。そして、これらの各種電子機器に適用可能なのは言うまでもない。
【０１１６】
本発明は、上述した実施例に限られるものではなく、請求の範囲及び明細書全体から読み取れる発明の要旨或いは思想に反しない範囲で適宜変更可能であり、そのような変更を伴なう電気光学装置及び電子機器もまた本発明の技術的範囲に含まれるものである。
【図面の簡単な説明】
【０１１７】
【図１】実施形態に係る液晶装置の構成を示す平面図である。
【図２】図１のＨ−Ｈ’断面図である。
【図３】本実施形態に係る液晶装置の要部の電気的な構成を概念的に示すブロック図である。
【図４】共通配線駆動回路の構成を概念的に示すブロック図である。
【図５】共通配線駆動回路が備えるラッチ回路の構成を概念的に示すブロック図である。
【図６】共通配線駆動回路が備える制御信号出力回路の構成を概念的に示すブロック図である。
【図７】共通配線駆動回路が備える電圧選択回路の構成を概念的に示すブロック図である。
【図８】共通配線駆動回路の動作を示すタイミングチャートである。
【図９】変形例に係る電圧選択回路の構成を概念的に示すブロック図である。
【図１０】変形例に係る制御信号出力回路の構成を概念的に示すブロック図である。
【図１１】液晶装置が適用されたモバイル型のパーソナルコンピュータの斜視図である。
【図１２】液晶装置が適用された携帯電話の斜視図である。
【符号の説明】
【０１１８】
１…液晶装置、１１…共通電極、１０１…データ線駆動回路、１０４…走査線駆動回路、１１０…共通配線駆動回路、１１１…ラッチ回路、１１２…制御信号出力回路、１１３…電圧選択回路、Ｙ１〜Ｙｎ…走査線、ＣＯＭ１〜ＣＯＭｎ…共通配線、ＺＨ…第１電圧供給線、ＺＬ…第２電圧供給線
【図１】
2009205096.tif 000003
【図２】
2009205096.tif 000004
【図３】
2009205096.tif 000005
【図４】
2009205096.tif 000006
【図５】
2009205096.tif 000007
【図６】
2009205096.tif 000008
【図７】
2009205096.tif 000009
【図８】
2009205096.tif 000010
【図９】
2009205096.tif 000011
【図１０】
2009205096.tif 000012
【図１１】
2009205096.tif 000013
【図１２】
2009205096.tif 000014